(57)【特許請求の範囲】
【請求項１】
カフと、
カフ内圧を漸次上昇させる昇圧手段と、
カフ内圧を漸次減圧させる減圧手段と、
カフ内圧を検出する圧力検出手段と、
目標とするカフ内圧を設定可能な目標圧設定手段と、
カフ内圧を前記目標圧設定手段により設定された目標圧に近似した圧力に制御する圧力制御手段と、
静脈穿刺可能な状態であることを報知する報知手段と、
生体信号検出手段とを備え、
前記目標圧設定手段が、外部からの操作により任意の固定値を選択可能であり、
前記生体信号検出手段は、前記任意の固定値に応じたカフ内圧まで加圧した状態において所定の生体信号の検出を行い、
前記報知手段は、前記生体信号検出手段が前記所定の生体信号を検出した場合に静脈穿刺が可能であることを報知することを特徴とする自動電子駆血帯。
【請求項２】
カフと、
カフ内圧を漸次上昇させる昇圧手段と、
カフ内圧を漸次減圧させる減圧手段と、
カフ内圧を検出する圧力検出手段と、
目標とするカフ内圧を設定可能な目標圧設定手段と、
カフ内圧を前記目標圧設定手段により設定された目標圧に近似した圧力に制御する圧力制御手段と、
静脈穿刺可能な状態であることを報知する報知手段と、
生体信号検出手段とを備え、
前記目標圧設定手段が、外部からの操作により任意の固定値を選択可能であり、
前記生体信号検出手段は、前記任意の固定値に応じたカフ内圧まで加圧した状態において所定の生体信号の検出を行い、
前記所定の生体信号が検出されなかった場合、前記目標圧設定手段は、前記選択された固定値よりも高い圧力を目標とするカフ内圧として再設定することを特徴とする自動電子駆血帯。
【請求項３】
前記減圧手段が、カフ本体以外に備えられた操作装置の操作により、カフ内圧を減圧可能であることを特徴とする、請求項１又は請求項２に記載の自動電子駆血帯。
【請求項４】
前記カフの幅が７５ｍｍ以下であることを特徴とする、請求項１から請求項３のいずれか１に記載の自動電子駆血帯。
【請求項５】
前記カフの容積が、８０ｃｃ以下であることを特徴とする、請求項１から請求項３のいずれか１に記載の自動電子駆血帯。
【発明の詳細な説明】
【技術分野】
【０００１】
本発明は、静脈穿刺をし、採血をしたり、静脈ルート確保（血管確保）をしたりするなどを、適切にかつ容易に行なうことができる簡易式の自動電子駆血帯に関する。【０００２】
通常、駆血は、採血等の現場において、例えばゴムバンドを人体の腕に巻き付けることにより行うが、そのゴムバンドによる締め付け力は看護師等の感覚に頼っているのが現状であった。このため、その締め付け力が弱すぎたり、強すぎたりすることがあり、適度な駆血圧で締め付けることが難しいという問題があった。【０００３】
適度な駆血圧で締め付けることを補助する手段として、指標としてゴム管またはベルト部に１種類または２種類の色を使用し、繰り返し適切な間隔で線を引いたことを特徴とする駆血帯が知られている（特許文献１）。【０００４】
一方、ある程度自動で駆血することができる駆血帯としては、人体の腕に装着可能な腕帯と、この腕帯を加圧する加圧手段と、この加圧手段を用いて腕帯の加圧及び減圧を行うことにより、その腕帯を装着した者の収縮期血圧（最高血圧）及び拡張期血圧（最低血圧）を測定する血圧計測手段とを備え、前記血圧計測手段によって拡張期血圧と収縮期血圧とを測定した上で、その拡張期血圧と収縮期血圧との間の何れかの圧力に前記腕帯の圧力を設定することで駆血するように構成したものが知られている（例えば、引用文献２）。【０００５】
このように構成された駆血帯においては、まず腕帯を腕に装着した後、予想される収縮期血圧を十分に超える圧力まで腕帯を加圧した上で、当該腕帯を徐々に減圧し、その減圧の過程で、生体信号の変化に基づいて収縮期血圧及び拡張期血圧を測定することになる。【０００６】
即ち、減圧の過程で、生体信号の変化としての例えばコロトコフ音の発生を検知することができるので、その検知時の腕帯の圧力から収縮期血圧を検出し、更に減圧を続行することにより、今度はコロトコフ音の消滅を検知することができるので、その消滅を検知した時の腕帯の圧力から拡張期血圧を検出する。その後、再び腕帯を加圧することにより、当該腕帯の圧力を拡張期血圧と収縮期血圧との間の所定の圧力に設定することで駆血するようになっている。【０００７】
上記のように駆血することにより、動脈における血液の流れを維持しながら静脈における血液の流れを止めることができることから、静脈を確実に怒張させることができ、その静脈に容易に穿刺することができる。【０００８】
しかしながら、上記駆血帯を用いた場合には、収縮期血圧を検出する際に、当該収縮期血圧を十分に超える圧力で腕を圧迫しなければならず、その際に腕に痛みを感じることがあるという問題がある。しかも、収縮期血圧及び拡張期血圧の両者を測定した上で、その血圧の間の所定の圧力に腕帯の圧力を設定することになるため、静脈穿刺前の準備段階において多くの時間を要するという問題もあった。【０００９】
本願出願人は従前、拡張期血圧に関する生体信号の変化を検出するようになっており、前記加圧力設定維持回路は、前記拡張期血圧検出回路によって前記生体信号の変化を検出した際の前記囲繞部材の加圧力を目標加圧力として設定すると共に、当該囲繞部材の加圧力が前記目標加圧力に近似した範囲に入るように当該囲繞部材を制御するよう構成した自動駆血帯を提案した（特許文献３）。かかる構成により、収縮期血圧及び拡張期血圧の両者を測定する必要がなく、静脈穿刺前の準備段階に要する時間を短縮するとともに患者の負担を軽減することが可能となった。【００１０】
しかしこうした構成には更に改善の余地もあった。すなわち、常時生体信号を検出することにより適切な駆血圧が維持するよう制御する構成となっているところ、何らかの不具合、例えば外部からの振動や患者自身の急激な姿勢変化などにより適切に生体信号を検出することができず、適切な駆血ができないことも考えられた。
【先行技術文献】
【特許文献】
【００１１】
【特許文献１】実用新案登録第３１５０２３７号公報
【特許文献２】特開２００９−９５５１６号公報
【特許文献３】特開２０１３−１１８９３８号公報
【発明の概要】
【発明が解決しようとする課題】
【００１２】
本発明は、上記事情に鑑みてなされたものであり、静脈穿刺前の準備段階において駆血を受ける者に苦痛を与えることがなく、かつその静脈穿刺の準備に要する時間の短縮を図りつつ、更に適切に駆血を行うことのできる簡易式の自動電子駆血帯を提供することを課題としている。【００１３】
上記課題を解決するために、本発明の自動電子駆血帯は、カフと、カフ内圧を漸次上昇させる昇圧手段と、カフ内圧を漸次減圧させる減圧手段と、カフ内圧を検出する圧力検出手段と、目標とするカフ内圧を設定可能な目標圧設定手段と、カフ内圧を目標圧設定手段により設定された目標圧に近似した圧力に制御する圧力制御手段と、静脈穿刺可能な状態であることを報知する報知手段とを備えている。
【００１４】
減圧手段が、カフ部以外に備えられた操作装置の操作により、カフ内圧を減圧可能であってもよい。
【００１５】
カフの幅が７５ｍｍ以下であってもよい。
【００１６】
カフの容積が、８０ｃｃ以下であってもよい。
【００１７】
目標圧設定手段が、外部からの操作により任意の固定値を選択可能であってもよい。
【００１８】
生体信号検出手段をさらに備え、目標圧設定手段が、生体信号検出手段による生体信号の検出結果に基づいて目標圧を設定してもよい。
【００１９】
自動電子駆血帯は生体信号検出手段をさらに備え、目標圧設定手段が、外部からの操作により任意の固定値を選択可能であり、生体信号検出手段は、上記任意の固定値に応じたカフ内圧で加圧した状態において生体信号の検出を行い、報知手段は、生体信号検出手段が生体信号を検出した場合に静脈穿刺が可能であることを報知する。
【００２０】
自動電子駆血帯は生体信号検出手段をさらに備え、目標圧設定手段が、外部からの操作により任意の固定値を選択可能であり、生体信号検出手段は、上記任意の固定値に応じたカフ内圧で加圧した状態において生体信号の検出を行い、生体信号が検出されなかった場合、目標圧設定手段は、選択された固定値よりも高い圧力を目標とするカフ内圧として再設定する。
【発明の効果】
【００２１】
自動電子駆血帯は、カフと、カフ内圧を漸次上昇させる昇圧手段と、カフ内圧を漸次減圧させる減圧手段と、カフ内圧を検出する圧力検出手段と、目標とするカフ内圧を設定可能な目標圧設定手段と、カフ内圧を目標圧設定手段により設定された目標圧に近似した圧力に制御する圧力制御手段と、静脈穿刺可能な状態であることを報知する報知手段とを備えているから、看護師等の感覚に頼ることなく適切な駆血圧を実現することができる。更には、カフ内圧は漸次上昇するから、患者等にとっていきなり強い締め付けを受けることがなく、ストレスが緩和される。特に皮膚の弱い患者等や体毛の濃い患者等にとっては、皮膚に過度の刺激が加わったり、また体毛が引っ張られたりすることで感じる痛みが緩和され得る。
【００２２】
減圧手段が、カフ部以外に備えられた操作装置の操作により、カフ内圧を減圧可能であるから、静脈穿刺が完了し圧力を解放させる際にカフに触れることなくカフ内圧を減圧可能であるため、血管に留置した針が血管から抜ける等の事故を未然に防止することができる。また看護師等にとっての操作性が向上する。
【００２３】
カフの幅が７５ｍｍ以下であるから、カフ部材の材料の少量化を図りつつ、患者等にとってストレスをより感じない程度の加圧状態を実現することができる。特に、静脈穿刺を目的とした駆血であって血圧測定とは異なるため、血管内部圧と同期させることを目的とした所定幅のカフを採用する必要がない。
【００２４】
カフの容積が、８０ｃｃ以下であるから、カフ部材の材料の少量化を図りつつ、患者等にとってストレスをより感じない程度の加圧状態を実現することができる。特に、静脈穿刺を目的とした駆血であって血圧測定とは異なるため、血管内部圧と同期させることを目的として所定幅を実現させるような容積のカフを採用する必要がない。
【００２５】
目標圧設定手段が、外部からの操作により任意の固定値を選択可能であるから、外部からの操作により目標とするカフ内圧を設定することが可能であるため、看護師等の感覚や経験に依存した駆血を回避し、適切な圧力での駆血が実現されることが期待できる。
【００２６】
生体信号検出手段をさらに備え、目標圧設定手段が、生体信号検出手段による生体信号の検出結果に基づいて目標圧を設定するから、駆血により検知される生体信号、例えばカフ内圧力振動（＝オッシレーション）の変化やコロトコフ音の検知の有無或いはその程度に基づいて目標圧が設定されることから、看護師等の感覚や経験に依存した駆血を回避し、適切な圧力での駆血が実現されることが期待できる。
【００２７】
生体信号検出手段をさらに備え、目標圧設定手段が、外部からの操作により任意の固定値を選択可能であり、生体信号検出手段は、上記任意の固定値に応じたカフ内圧で加圧した状態において生体信号の検出を行い、報知手段は、生体信号検出手段が生体信号を検出した場合に静脈穿刺が可能であることを報知するから、血圧には個人差があるものの多くの成人の患者等にとって適切なカフ内圧は経験上一定のレンジに収まっているところ、まずは固定値によるカフ内圧の目標圧の設定を行い、その結果適切に駆血がされている状態であれば生じる生体信号の状態が生じているかを検出し、検出された場合には穿刺可能状態であることを報知する、という段階を経ることにより、簡易な目標圧設定により確実に所望の駆血状態を報知することが可能となる。
【００２８】
生体信号検出手段をさらに備え、目標圧設定手段が、外部からの操作により任意の固定値を選択可能であり、生体信号検出手段は、上記任意の固定値に応じたカフ内圧で加圧した状態において生体信号の検出を行い、生体信号が検出されなかった場合、目標圧設定手段は、選択された固定値よりも高い圧力を目標とするカフ内圧として再設定するから、固定値によるカフ内圧の目標圧設定によっては所望の駆血状態が実現されなかった場合において、追加的にカフ内圧を高めることで適切な駆血状態の実現を行うことができる。
【００２９】
なお本発明において「漸次昇圧」とは、カフ内圧の昇圧を徐々に行うことを意味し、その速度の高低は問わないが、例えばゴム管やベルト状の駆血帯と異なり患者にとって急激な締め付けとならない構造を持ったカフでの加圧力の上昇を意味する。実現手段としては空気圧による加圧が主に考えられるがこれに限られない。
「漸次減圧」とは、カフ内圧の降圧を徐々に行うことを意味し、その速度の高低は問わない。【００３０】
「目標圧設定手段」を実現する具体的な構成としては、例えば外部からの操作ボタンなどが考えられる。目標圧としては個々の操作装置にプリセットされているものが、操作上は便宜が良いが、例えば特定の目標圧をテンキーやタッチパネルで入力するような操作パネルを備えることもできる。【００３１】
「圧力制御手段」は、カフ内圧を検知する圧力センサにより得られるカフ内圧と、前述の目標圧設定手段により設定された目標圧との比較により両者を略一致させる手段をいう。【００３２】
「報知手段」としては、ブザーや音声による聴覚的な報知が考えられるがこれに限られず、例えばＬＥＤランプの点灯や点滅、その他の感覚器への刺激、及びこれらの併用も考えられる。【００３３】
「カフの幅」とは、本駆血帯を四肢に装着した際における四肢と並行する方向の広さをいう。この広さが広いほど四肢内の血管を狭窄させる距離が長くなることになり、相対的に低い外部からの圧力で所望の駆血を実現できることになるが、カフ内圧の上昇を空気圧により行う場合、その分カフ内により多くの空気を供給しなければならない。逆にこの広さが狭いと少量の空気でカフ内圧の上昇を図ることができる反面、血管の狭窄距離が短くなり、所望の駆血を実現するためには相対的に高い外部からの圧力が必要となる。つまり、患者の負担感の原因である過度の加圧力、長時間の駆血、急激な加圧力の上昇、という各要因を回避するために本発明に係る駆血帯のカフの幅は７５ｍｍ以下としている。より好ましくは、１０ｍｍ以上６０ｍｍ以下とすることができる。幅が１０ｍｍより短いと、必要なカフ内圧が相対的に高くなりすぎ、また容積も小さくなるからカフ内圧の上昇速度が速くなりすぎ、いずれも患者の負担感増の要因となる他、高いレンジのカフ内圧が求められることからカフ自体への負荷も高くなり、所望の耐久性を得ることが難しくなる場合がある。一方幅が７５ｍｍより長いと、持ち運び時や装着時の携帯性が損なわれる他、カフ内圧の上昇により多くの時間を要し、やはり患者の負担感の増大につながる。【００３４】
なお「任意の固定値」としては、例えば１００ｍｍＨｇ、１５０ｍｍＨｇ、２００ｍｍＨｇのように多段階設けることができる。なおこれらの固定値は、例えば成人の一般的な収縮期血圧よりも場合によって高いが、これは本件駆血帯が本来的に血圧測定を目的としたものではないことに由来する。血圧測定にあたっては一定のカフ幅を設けることが求められているところ、本件は適切な駆血が目的であるためである。【００３５】
検出する「生体信号」としては、脈動（オッシレーション）を想定しているがこれに限られず、例えばＫ音（コロトコフ音）であってもよい。「所定の生体信号」として、一定以上の強度の脈動（オッシレーション）を検出対象とすることが考えられる。或いはカフ圧の加圧開始後経時的に脈波を検知しておき、最大脈波が経時的に検知されたことをもって「所定の生体信号」が検知されたとしてもよく、更には所定の時点において検出される脈波がそれまでに検知された最大脈波の所定割合以上の強度を有していることをもって「所定の生体信号」が検出されたとすることもできる。
【図面の簡単な説明】
【００３６】
【図１】本発明にかかる自動電子駆血帯を装着した状態を示す図である。
【図２】本発明にかかる自動電子駆血帯の機能ブロック図である。
【図３】本発明にかかる自動電子駆血帯の外観を示す図である。
【図４】本発明にかかる自動電子駆血帯の筐体外観を示す図である。
【図５】加圧開始から静脈穿刺可能状態の報知、漸次減圧までの一連の流れを示す第一のフローである。
【図６】加圧開始から静脈穿刺可能状態の報知、漸次減圧までの一連の流れを示す第二のフローである。
【図７】加圧開始から静脈穿刺可能状態の報知、漸次減圧までの一連の流れを示す第三のフローである。
【図８】駆血帯におけるカフ幅と必要カフ内圧との関係を示す概念図である。
【発明を実施するための形態】
【実施例１】
【００３７】
本発明の実施例１として示す自動電子駆血帯は、図１、図２、図３及び図４に示すように、人体の四肢のうち一の肢である上腕Ｕの周囲を囲むように装着することが可能な腕帯（カフ）１と、この腕帯１に一体的に設けられた、制御装置２を内包する筐体２０とを備えている。【００３８】
腕帯１は、上腕Ｕに巻きつけた際に面状ファスナ部１ａによって筒状に維持されるようになっているとともに、当該上腕Ｕに対する着脱が容易になっている。また、腕帯１は、筒状にされた際に内面となる部分に、上腕Ｕに対して加圧力を与えるための加圧袋１ｂを備えたものとなっている。加圧袋１ｂには空圧を供給するためのポンプ５１、及び加圧袋内の圧力を調整するためのバルブ５２が備えられている。また、カフ内の圧力を検知する圧力センサ５３、前記圧力センサ５３によって検知される圧力のうち脈圧に相当する部分のみを抽出して検知する生体信号抽出ユニット５４が備えられている。【００３９】
筐体２０は、コンピュータによるハードウエア資源を有する制御装置２を備えたものであって、これにシーケンスプログラムによるソフトウエアを実行させることによって後述する各種制御が行われる。【００４０】
電源スイッチ２１を押下することで電源回路（図示しない）が起動される。モード切替スイッチ２２は「自動モード」と「手動モード」の２つのモードの切り替えを行うためのスイッチである。「手動モード」には更に、目標カフ内圧として「１００ｍｍＨｇ」「１５０ｍｍＨｇ」「２００ｍｍＨｇ」が固定値として設けられており、スイッチを押下するごとにモードの切り替えが可能である。スタートスイッチ２３の押下によりポンプ５１が起動し、当該ポンプ５１から吐出された空気がカフ内に充填されていく。リリーススイッチ２４は筐体２０本体において圧力解放の操作の必要が生じたときに押下することで、バルブ５２が開放され、カフ内圧が降下する。【００４１】
ひじ用スイッチ２５は、筐体２０にリード線２５ａを介して接続されているスイッチであり、スタートスイッチ２３、及びリリーススイッチ２４と同様の機能を有する。すなわち、一度押下することによりカフの昇圧が開始される。また静脈穿刺完了後、再度押下することによりバルブ５２が開放されカフの減圧が行われる。通常静脈穿刺を行う際、看護師や医師は注射器やシリンジ、ガーゼにより両手が塞がっている状態であることが多く、手先以外でのカフ内圧操作手段が求められていた。ひじ用スイッチ２５によれば静脈穿刺の作業を行いつつも安全確実にカフ内圧の開放を行うことができる。腕帯１と筐体２０とでカフ部が構成されており、ひじ用スイッチ２５はカフ部以外に備えられた操作装置に該当する。【００４２】
脈インジケータ３１はＬＥＤランプであり、圧力センサ５３によって検知される圧力のうち生体信号抽出ユニット５４により抽出された生体信号（脈圧）の有無に応じて点滅する。これにより適切な駆血が行われているかを視認することができる。なお駆血完了時、すなわち静脈穿刺可能な状態になったときには脈インジケータ３１を点灯させるよう構成することもできる。この場合脈インジケータ３１は報知手段として機能する。或いは過度の加圧、或いは圧力不足、バッテリ不足などの以上が生じた際には高速点滅させるなど異常状態を知らせる手段として機能させることもできる。なおこれらの付加的な報知機能については、必ずしも脈インジケータ３１を併用する必要はなく、後述するカフ圧インジケータ３２、或いはモードインジケータ３３による報知、或いはそれらの併用であってもよい。【００４３】
カフ圧インジケータ３２は複数のＬＥＤランプからなり、圧力センサ５３によって検知されるカフ内圧に合わせて順次点灯する。またモードインジケータ３３は複数のＬＥＤランプからなり、モード切替スイッチ２２の操作に応じて現在のモード（自動（ＡＵＴＯ）、１００ｍｍＨｇ（手動）、１５０ｍｍＨｇ（手動）、２００ｍｍＨｇ（手動））に相当するランプが点灯し現在のモードを知らせる。【００４４】
ブザー４０は、駆血完了時、すなわち静脈穿刺可能な状態になったときに鳴動し、使用者にその旨を知らせる。【００４５】
ここで、駆血圧を手動にて固定値選択した場合の自動電子駆血帯の動きについて、図５のフローを参照しつつ説明する。【００４６】
モード切替スイッチ２２を押下することで手動固定値の目標カフ内圧を選択する（ステップＳ５０１）。モード切替スイッチ２２は目標圧設定手段として機能する。その後スタートスイッチ２３を押下すると（ステップＳ５０３：Ｙｅｓ）、ポンプ５１が駆動するとともにバルブ５２が完全「閉」となり、カフ内圧の上昇が開始する（ステップＳ５０５）。カフ内圧の上昇中、圧力センサ５３はカフ内圧を検知しており、設定圧に到達した時点で（ステップＳ５０７：Ｙｅｓ）、駆血が完了した旨の報知が行われる（ステップＳ５０９）。報知手段としては前述の通り各インジケータの一又はいずれかを点灯させることによっても良く、またブザー４０の鳴動でもよい。またポンプ５１は駆動停止し、バルブ５２は引き続き「閉」の状態にてカフ内圧が維持される（ステップＳ５１１）。なお図示しないが、バルブ５２の閉鎖によりカフ内圧は目標カフ内圧に近似した圧力で維持されるが、エアのわずかな漏えい等に備え、圧力センサ５３はカフ内圧を引き続き検知し、目標カフ内圧から所定値の差異が生じたときには再度ポンプ５１を駆動させるよう構成することもできる。ポンプ５１、バルブ５２は、制御装置２と協働して昇圧手段及び圧力制御手段として機能する。【００４７】
この状態で、静脈穿刺を行った後、通常上腕Ｕに穿刺された状態でカフ内圧を開放することが必要となる。穿刺を行う看護師や医師は、リリーススイッチ２４を押下するか、又はひじ用スイッチ２５を押下することにより圧力の開放を行う。リリーススイッチ２４又はひじ用スイッチ２５が押下されると（ステップＳ５１３：Ｙｅｓ）、バルブが「開」状態となりカフ内圧は下降する（ステップＳ５１５）。リリーススイッチ２４、ひじ用スイッチ２５、バルブ５２は、制御装置２と協働して減圧手段として機能する。
【実施例２】
【００４８】
次に、目標駆血圧を生体信号に基づき自動設定する場合の自動電子駆血帯の動きについて、図６のフローを参照しつつ説明する。【００４９】
モード切替スイッチ２２を押下することで自動設定モードを選択する（ステップＳ６０１）。その後スタートスイッチ２３を押下すると（ステップＳ６０３：Ｙｅｓ）、ポンプ５１が駆動するとともにバルブ５２が完全「閉」となり、カフ内圧の上昇が開始する（ステップＳ６０５）。【００５０】
カフ内圧の上昇中、圧力センサ５３はカフ内圧を検知しており、また生体信号抽出ユニット５４は前記圧力センサ５３で検知される圧力値から脈波に相当する成分のみを抽出して検知する。検知した脈波の振れ幅は経時的に記録されており、継続的な検出の結果最大脈波を検出すると（ステップＳ６０７：Ｙｅｓ）、そこから更に脈動２拍のバッファを挟み（ステップＳ６０９）、駆血が完了した旨の報知が行われる（ステップＳ６１１）。なおこのバッファは拍動数に限らず所定秒数（例えば、１秒）ディレイさせるよう構成することもできる。本実施例に置いては、圧力センサ５３及び生体信号抽出ユニット５４は制御装置２と協働して目標圧設定手段として機能する。また報知手段としては、前述の通り各インジケータの一又はいずれかを点灯させることによっても良く、またブザー４０の鳴動でもよい。またポンプ５１は駆動停止し、バルブ５２は引き続き「閉」の状態にてカフ内圧が維持される（ステップＳ６１３）。実施例１同様、カフ内圧の維持のために圧力センサ５３が常時カフ内圧をモニタし所定幅以上減圧した場合に追加的に加圧するようポンプ５１を駆動させる構成としてもよい。【００５１】
この状態で、静脈穿刺を行った後、通常上腕Ｕに穿刺された状態でカフ内圧を開放することが必要となる。穿刺を行う看護師や医師は、リリーススイッチ２４を押下するか、又はひじ用スイッチ２５を押下することにより圧力の開放を行う。リリーススイッチ２４又はひじ用スイッチ２５が押下されると（ステップＳ６１５：Ｙｅｓ）、バルブが「開」状態となりカフ内圧は下降する（ステップＳ６１７）。
【実施例３】
【００５２】
次に、駆血圧を手動にて固定値の選択をしつつ、適切な駆血状態となっているかについて生体信号を参照する場合の自動電子駆血帯の動きについて、図７のフローを参照しつつ説明する。【００５３】
モード切替スイッチ２２を押下することで手動固定値の目標カフ内圧を選択する（ステップＳ７０１）。その後スタートスイッチ２３を押下すると（ステップＳ７０３：Ｙｅｓ）、ポンプ５１が駆動するとともにバルブ５２が完全「閉」となり、カフ内圧の上昇が開始する（ステップＳ７０５）。カフ内圧の上昇中、圧力センサ５３はカフ内圧を検知している。手動での設定圧に到達した時点で（ステップＳ７０７：Ｙｅｓ）、圧力センサ５３及び生体信号抽出ユニット５４から所定の生体信号が検知されている場合（ステップＳ７０９：Ｙｅｓ）、駆血が完了した旨の報知が行われる（ステップＳ７１１）。報知手段としては前述の通り各インジケータの一又はいずれかを点灯させることによっても良く、またブザー４０の鳴動でもよい。なおここで「所定の生体信号が検知されている場合」として、カフ圧が手動での設定圧に到達した時点において所定の強度以上の脈波が検知されている場合としてもよい。或いは、生体信号抽出ユニット５４が経時的に脈波の検知を行い、その過程において最大脈波が検知されたことをもって所定の生体信号が検知されていると判定するよう構成してもよい。更には、生体信号検出ユニット５４が経時的に脈波の検知を行い、その過程において最大脈波が検知されたことを条件として、カフ圧が手動での設定圧に到達した時点における脈波が最大脈波の所定範囲内、例えば５０％以上、にあることをもって「所定の生体信号が検知されていると判定するよう構成しても良い。【００５４】
圧力センサ５３及び生体信号抽出ユニット５４から所定の生体信号が検知されていない場合（ステップＳ７０９：Ｎｏ）、目標カフ内圧の再設定を行う（ステップＳ７１５）。再設定される目標カフ内圧は、当初の手動設定圧に５０ｍｍＨｇ加えた圧とする。但しその段階の手動設定圧が「２００ｍｍＨｇ」の場合（ステップＳ７１３：Ｙｅｓ）、更なる圧の上昇は行わず、エラー報知を行う（ステップＳ７１７）。
所定の生体信号が検知されると、ポンプ５１は駆動停止し、バルブ５２は引き続き「閉」の状態にてカフ内圧が維持される（ステップＳ７１９）。【００５５】
この状態で、静脈穿刺を行った後、通常上腕Ｕに穿刺された状態でカフ内圧を開放することが必要となる。穿刺を行う看護師や医師は、リリーススイッチ２４を押下するか、又はひじ用スイッチ２５を押下することにより圧力の開放を行う。リリーススイッチ２４又はひじ用スイッチ２５が押下されると（ステップＳ７２１：Ｙｅｓ）、バルブが「開」状態となりカフ内圧は下降する（ステップＳ７２３）。【００５６】
本発明にかかる自動電子駆血帯においては、カフ幅を７５ｍｍ以下とすることが特徴となっている。この点の技術的意義につき言及する。【００５７】
駆血帯は、装着の簡便さ、また加圧に要する時間の短縮化の観点からは、カフ幅Ｗが狭い方が良い（図８（ａ））。この点が、一般の血圧計（図８（ｂ）参照）における制約下におかれない本発明の自動電子駆血帯の利点であるといえる。すなわち、血圧測定においてはカフ幅を狭くすると血圧が高く測定されてしまう。これは加圧する面積が少なくなると、より高い圧を加えないと同程度に血管が狭窄（物理的変形）されないためと考えられる。この点、本発明に係る自動電子駆血帯の目的は、血管内部圧に関連付けて血管を狭窄させることであり、平均血圧の測定ではない。そして、カフ内圧力振動振幅の変化は加圧部分の血管の狭窄がもたらすものであり、脈動振幅が最大になったときは血管内圧の平均血圧に近い外力が加わっていることになる。すなわち、脈波の最大値を検出する加圧状態を実現しさえすれば、至適な駆血状態を実現することとなる。この至適な駆血状態を患者に過度の負担感を感じさせないために、カフ内圧の上限、及び目的のカフ内圧に到達するまでの時間を考慮した結果、７５ｍｍ以下の幅とすることで患者に無用な負担を感じさせることなく短時間で所望の駆血状態を実現することができる。なおカフ幅Wが過度に狭すぎると、短い幅で強い締め付けが患者に加わるため負担感が増す。また高いカフ内圧が要求されることになり加圧袋の耐久性を損なう可能性がある。そこで、カフ幅としては１０ｍｍ以上とすることが望ましく、また速やかな至適な駆血状態の実現の観点から６０ｍｍ以下とすることがより好ましい。 
【符号の説明】
【００５８】
１      腕帯（カフ）
２      制御装置
２０    筐体
２１    電源スイッチ
２２    モード切替スイッチ
２３    スタートスイッチ
２４    リリーススイッチ
２５    ひじ用スイッチ
２５ａ  リード線
３１    脈インジケータ
３２    カフ圧インジケータ
３３    モードインジケータ
４０    ブザー
５１    ポンプ
５２    バルブ
５３    圧力センサ
５４    生体信号抽出ユニット
【図１】
0006688874.tif 000002
【図２】
0006688874.tif 000003
【図３】
0006688874.tif 000004
【図４】
0006688874.tif 000005
【図５】
0006688874.tif 000006
【図６】
0006688874.tif 000007
【図７】
0006688874.tif 000008
【図８】
0006688874.tif 000009